(57)【要約】      （修正有）【課題】自装置で受信できない、他のデジタルテレビジョン放送によるサイマル放送が有ることを、視聴者に通知することができる受信装置、方法及びプログラムを提供する。【解決手段】テレビジョン受像機１００は、第１のデジタルテレビジョン放送で放送される番組に関する番組情報を取得する番組情報取得部と、第２のデジタルテレビジョン放送による、受信した番組情報に応じた番組のサイマル放送であって、受信した番組情報に応じた番組よりも解像度の高い映像のサイマル放送があるか否かを示す情報を、外部装置から取得するサイマル番組情報取得部と、受信した番組情報と、受信した番組情報に応じた番組よりも解像度の高い映像のサイマル放送があるか否かを示す情報とに基づき、番組表を表示させる番組表表示部とを備え、番組表のうち、受信した番組情報に応じた番組よりも解像度の高い映像のサイマル放送がある番組の欄には、所定の表示を行う。【選択図】図１
2017073732.tif 000002
【特許請求の範囲】
【請求項１】
第１のデジタルテレビジョン放送を受信する受信装置であって、
前記第１のデジタルテレビジョン放送で放送される番組に関する番組情報を取得する番組情報取得部と、
前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得するサイマル番組情報取得部と、
前記受信した番組情報と、前記受信した番組情報に応じた番組よりも解像度の高い映像のサイマル放送があるか否かを示す情報とに基づき、番組表を表示させる番組表表示部と
を備え、
前記番組表のうち、前記受信した番組情報に応じた番組よりも解像度の高い映像のサイマル放送がある番組の欄には、所定の表示が含まれる、受信装置。
【請求項２】
前記外部装置は、前記受信装置に接続され、
前記所定の表示は、前記外部装置が、前記受信した番組情報に応じた番組のサイマル放送を受信可能か否かを示す、請求項１に記載の受信装置。
【請求項３】
前記受信した番組情報に応じた番組よりも解像度の高い映像のサイマル放送がある番組の欄に対して、ユーザによる所定の操作がなされたときに、前記外部装置に、前記受信した番組情報に応じた番組よりも解像度の高い映像のサイマル放送の受信を指示する、請求項１に記載の受信装置。
【請求項４】
第１のデジタルテレビジョン放送を受信する受信装置における番組表表示方法であって、
前記第１のデジタルテレビジョン放送で放送される番組に関する番組情報を取得する第１の過程と、
前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得する第２の過程と、
前記受信した番組情報と、前記受信した番組情報に応じた番組よりも解像度の高い映像のサイマル放送があるか否かを示す情報とに基づき、番組表を表示させる第３の過程と
を備え、
前記番組表のうち、前記受信した番組情報に応じた番組よりも解像度の高い映像のサイマル放送がある番組の欄には、所定の表示が含まれる、番組表表示方法。
【請求項５】
第１のデジタルテレビジョン放送を受信する受信装置のコンピュータを、
前記第１のデジタルテレビジョン放送で放送される番組に関する番組情報を取得する番組情報取得部、
前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得するサイマル番組情報取得部、
前記受信した番組情報と、前記受信した番組情報に応じた番組よりも解像度の高い映像のサイマル放送があるか否かを示す情報とに基づき、番組表を表示させる番組表表示部、
として機能させるためのプログラムであって、
前記番組表のうち、前記受信した番組情報に応じた番組よりも解像度の高い映像のサイマル放送がある番組の欄には、所定の表示が含まれる、プログラム。
【発明の詳細な説明】
【技術分野】
【０００１】
本発明は、受信装置、番組表表示方法およびプログラムに関する。
【背景技術】
【０００２】
従来、同一の番組が、２Ｄ用と３Ｄ用とでサイマル放送されるときに、ＥＩＴ（Event Information Table）に、各番組が２Ｄ用であるか３Ｄ用であるかを示す情報を含めて送信することが開示されている（例えば、特許文献１）。このＥＩＴを受信した受信再生装置は、電子番組表の各番組欄に２Ｄ用であるか、３Ｄ用であるかを表示することも開示されている。
【先行技術文献】
【特許文献】
【０００３】
【特許文献１】再公表ＷＯ２０１３−００５４０６号公報
【発明の概要】
【発明が解決しようとする課題】
【０００４】
しかしながら、特許文献１の受信再生装置においては、自装置で受信できない、他のデジタルテレビジョン放送によるサイマル放送の有無についてはわからないことがあるという問題がある。
【０００５】
本発明は、このような事情に鑑みてなされたもので、自装置で受信できない、他のデジタルテレビジョン放送によるサイマル放送が有ることを、視聴者に通知することができる受信装置、番組表表示方法およびプログラムを提供する。
【課題を解決するための手段】
【０００６】
（１）この発明は上述した課題を解決するためになされたもので、本発明の一態様は、第１のデジタルテレビジョン放送を受信する受信装置であって、前記第１のデジタルテレビジョン放送で放送される番組に関する番組情報を取得する番組情報取得部と、前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得するサイマル番組情報取得部と、前記受信した番組情報と、前記受信した番組情報に応じた番組よりも解像度の高い映像のサイマル放送があるか否かを示す情報とに基づき、番組表を表示させる番組表表示部とを備え、前記番組表のうち、前記受信した番組情報に応じた番組よりも解像度の高い映像のサイマル放送がある番組の欄には、所定の表示が含まれる、受信装置である。
【０００７】
（２）また、本発明の他の態様は、（１）に記載の受信装置であって、前記外部装置は、前記受信装置に接続され、前記所定の表示は、前記外部装置が、前記受信した番組情報に応じた番組のサイマル放送を受信可能か否かを示す。
【０００８】
（３）また、本発明の他の態様は、（１）に記載の受信装置であって、前記受信した番組情報に応じた番組よりも解像度の高い映像のサイマル放送がある番組の欄に対して、ユーザによる所定の操作がなされたときに、前記外部装置に、前記受信した番組情報に応じた番組よりも解像度の高い映像のサイマル放送の受信を指示する。
【０００９】
（４）また、本発明の他の態様は、第１のデジタルテレビジョン放送を受信する受信装置における番組表表示方法であって、前記第１のデジタルテレビジョン放送で放送される番組に関する番組情報を取得する第１の過程と、前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得する第２の過程と、前記受信した番組情報と、前記受信した番組情報に応じた番組よりも解像度の高い映像のサイマル放送があるか否かを示す情報とに基づき、番組表を表示させる第３の過程とを備え、前記番組表のうち、前記受信した番組情報に応じた番組よりも解像度の高い映像のサイマル放送がある番組の欄には、所定の表示が含まれる、番組表表示方法である。
【００１０】
（５）また、本発明の他の態様は、第１のデジタルテレビジョン放送を受信する受信装置のコンピュータを、前記第１のデジタルテレビジョン放送で放送される番組に関する番組情報を取得する番組情報取得部、前記第１のデジタルテレビジョン放送とは異なる第２のデジタルテレビジョン放送による、前記受信した番組情報に応じた番組のサイマル放送であって、前記受信した番組情報に応じた番組よりも解像度の高い映像のサイマル放送があるか否かを示す情報を、外部装置から取得するサイマル番組情報取得部、前記受信した番組情報と、前記受信した番組情報に応じた番組よりも解像度の高い映像のサイマル放送があるか否かを示す情報とに基づき、番組表を表示させる番組表表示部、として機能させるためのプログラムであって、前記番組表のうち、前記受信した番組情報に応じた番組よりも解像度の高い映像のサイマル放送がある番組の欄には、所定の表示が含まれる、プログラムである。
【発明の効果】
【００１１】
この発明によれば、自装置で受信できない、他のデジタルテレビジョン放送によるサイマル放送が有ることを、視聴者に通知することができる。
【図面の簡単な説明】
【００１２】
【図１】この発明の第１の実施形態による受信システム１０の構成を示す概略ブロック図である。
【図２】同実施形態におけるテレビジョン受像機１００の構成を示す概略ブロック図である。
【図３】同実施形態における番組表情報生成部１０７の構成を示す概略ブロック図である。
【図４】同実施形態における番組表情報生成部１０７の動作を説明するフローチャートである。
【図５】同実施形態における番組表表示部１０８が生成する番組表の例Ｇ１を示す図である。
【図６】同実施形態における番組表表示部１０８が生成する番組表の例Ｇ２を示す図である。
【図７】同実施形態における番組表表示部１０８が生成する番組表の例Ｇ３を示す図である。
【図８】この発明の第２の実施形態による受信システム１０ａの構成を示す概略ブロック図である。
【図９】同実施形態におけるテレビジョン受像機１００ａの番組表表示部１０８が生成する番組表の例Ｇ４を示す図である。
【発明を実施するための形態】
【００１３】
［第１の実施形態］
以下、図面を参照して、本発明の第１の実施形態について説明する。図１は、この発明の第１の実施形態による受信システム１０の構成を示す概略ブロック図である。受信システム１０は、第１と第２のデジタルテレビジョン放送を受信し、それらのデジタルテレビジョン放送の番組を表示する。第２のデジタルテレビジョン放送は、第１のデジタルテレビジョン放送とは異なる放送であり、第１のデジタルテレビジョン放送の番組の少なくとも一部について、サイマル放送をしている。また、第２のテレビジョン放送は、第１のデジタルテレビジョン放送よりも解像度の高い映像を提供することができ、この解像度の高い映像により、サイマル放送をしている。例えば、第１のデジタルテレビジョン放送は、高精細度テレビジョン（High Definition television、HDTV、ハイビジョンという）放送であり、第２のデジタルテレビジョン放送は、超高精細度テレビジョン（Ultra High Definition television（UHDTV）、Super High Vision（SHV）、４Ｋ・８Ｋともいう）放送である。
【００１４】
受信システム１０は、第１のデジタルテレビジョン放送を受信するテレビジョン受像機１００（受信装置）と、第２のデジタルテレビジョン放送を受信するＳＨＶ受信機２００とを含む。テレビジョン受像機１００は、第１のデジタルテレビジョン放送を受信し、その番組の映像を表示する。また、テレビジョン受像機１００は、第１のデジタルテレビジョン放送に含まれるＥＩＴ（Event Information Table）などのサービス情報（Service Information）から、電子番組表を生成し、表示する。このとき、テレビジョン受像機１００は、第２のデジタルテレビジョン放送により、第１のデジタルテレビジョン放送より映像の解像度が高いサイマル放送がされている番組の番組欄には、サイマル放送があることを示す所定の表示を含める。
【００１５】
ＳＨＶ受信機２００は、テレビジョン受像機１００に、例えばＨＤＭＩ（登録商標）ケーブルにより接続されている、いわゆるＳＴＢ（Set Top Box）である。ＳＨＶ受信機２００は、第２のデジタルテレビジョン放送を受信し、その番組の映像信号をテレビジョン受像機１００に入力して、表示させる。また、ＳＨＶ受信機２００は、第２のデジタルテレビジョン放送のサービス情報を受信する。ＳＨＶ受信機２００は、テレビジョン受像機１００からの、第２のデジタルテレビジョン放送によるサイマル放送の有無の問い合わせに対して、第２のデジタルテレビジョン放送のサービス情報を参照して応答する。
【００１６】
図２は、テレビジョン受像機１００の構成を示す概略ブロック図である。テレビジョン受像機１００は、受信部１０１、分離部１０２、復号部１０３、合成部１０４、表示部１０５、番組情報取得部１０６、番組表情報生成部１０７、番組表表示部１０８、通信部１０９、接続部１１０を含む。受信部１０１は、第１のデジタルテレビジョン放送を受信し、そのパケットストリームを分離部１０２に入力する。分離部１０２は、受信部１０１から入力されたパケットストリームを、映像のパケットストリームと、サービス情報のパケットストリームとに分離する。この映像のパケットストリームは、第１のデジタルテレビジョン放送の番組の映像が符号化されたものである。
【００１７】
復号部１０３は、分離部１０２が分離した映像のパケットストリームを復号することで、第１のデジタルテレビジョン放送の番組の映像信号を生成する。合成部１０４は、復号部１０３が生成した映像信号（番組の映像信号）と、番組表表示部１０８が生成した映像信号（番組表の映像信号）とを合成する。この合成により、番組の映像の上に、番組表の映像が重ね合わされたり、番組表の映像の所定の位置に、番組の映像が嵌め込まれたり、番組の映像または番組表の映像のうち、一方のみが選択されたりする。
【００１８】
表示部１０５は、液晶ディスプレイ、有機ＥＬ（Electro Luminescence）ディスプレイなどの画像表示デバイスを有し、合成部１０５が合成した映像信号の映像、または、接続部１１０から入力された映像信号の映像を表示する。番組情報取得部１０６は、分離部１０２が分離したサービス情報のパケットストリームから、電子番組表を生成するための情報である番組情報を取得する。番組情報は、例えば、第１のデジタルテレビジョン放送で放送される番組に関するＥＩＴである。
【００１９】
番組表情報生成部１０７は、番組情報取得部１０６が取得した番組情報と、通信部１０９および接続部１１０を介してＳＨＶ受信機２００（外部装置）から取得したサイマル番組情報とに基づき、番組表を生成するための番組表情報を生成する。サイマル番組情報は、番組情報に応じた番組のサイマル放送が、第２のデジタルテレビジョン放送により行われているか否かを示す情報である。番組表情報は、例えば、各番組に関するテキストデータである。番組表情報には、サイマル番組情報に基づき、番組表に表示する番組各々にサイマル放送があるか否かを示す情報が含まれる。
【００２０】
番組表表示部１０８は、番組表情報生成部１０７が生成した番組表情報に基づき、番組表の映像信号を生成する。番組表表示部１０８は、生成した映像信号を合成部１０４に入力する。通信部１０９は、通信プロトコルに関する処理を行い、他装置と、テレビジョン受像機１００との間の通信を行う。通信部１０９は、番組表情報生成部１０７によるサイマル番組情報を取得するための通信も行う。接続部１１０は、ＳＨＶ受信機２００と接続する接続端子を含む。通信部１０９による通信は、この接続端子を介して行う。また、接続部１１０は、ユーザ操作などに従い、ＳＨＶ受信機２００から入力された映像信号を、表示部１０５に入力する。
【００２１】
なお、本実施形態では、接続部１１０が有する接続端子は、ＨＤＭＩ（登録商標）のケーブルを接続する端子であり、通信部１０９は、ＨＤＭＩ（登録商標）のＣＥＣ（Consumer Electronics Control）により、ＳＨＶ受信機２００と通信するが、これに限らない。例えば、通信部１０９は、ＨＤＭＩ（登録商標）上のイーサネット（登録商標）により、ＳＨＶ受信機２００と通信してもよい。あるいは、接続部１１０は、イーサネット（登録商標）用のツイストペアケーブルを接続する端子を、さらに含み、通信部１０９は、イーサネット（登録商標）により、ＳＨＶ受信機２００と通信してもよい。あるいは、接続部１１０は、ＵＳＢ（Universal Serial Bus）ケーブルを接続する端子を、さらに含み、通信部１０９は、ＵＳＢによりＳＨＶ受信機２００と通信してもよい。
【００２２】
図３は、番組表情報生成部１０７の構成を示す概略ブロック図である。番組表情報生成部１０７は、各番組情報生成部１１１と、サイマル番組情報取得部１１２と、各番組情報合成部１１３とを含む。各番組情報生成部１１１は、番組情報取得部１０６が取得した番組情報から、電子番組表に表示する番組各々に関する情報を抽出し、各番組情報を生成する。
【００２３】
サイマル番組情報取得部１１２は、各番組情報生成部１１１が生成した各番組情報の番組各々について、第２のデジタルテレビジョン放送において、より解像度の高いサイマル放送が行われるか否かを、ＳＨＶ受信機２００に問い合わせる。サイマル番組情報取得部１１２は、この問い合わせに対する応答、すなわち、各番組情報生成部１１１が生成した各番組情報の番組各々について、第２のデジタルテレビジョン放送において、より解像度の高いサイマル放送が行われるか否かを示す情報を、サイマル番組情報として、各番組情報合成部１１３に入力する。
【００２４】
なお、本実施形態のサイマル番組情報取得部１１２は、第２のデジタルテレビジョン放送において、より解像度の高いサイマル放送が行われるか否かを、ＳＨＶ受信機２００に問い合わせているが、これに限らない。例えば、サイマル番組情報取得部１１２は、第２のデジタルテレビジョン放送のサービス情報を、時間帯を指定してＳＨＶ受信機２００から取得し、そのサービス情報を参照して、各番組について、第２のデジタルテレビジョン放送において、より解像度の高いサイマル放送が行われるか否かを判定してもよい。
【００２５】
また、ＳＨＶ受信機２００またはサイマル番組情報取得部１１２は、第１のデジタルテレビジョン放送の番組の番組名と、第２のデジタルテレビジョン放送の番組の番組名と一致しているときは、サイマル放送であると判定してもよいし、番組名だけでなく、放送時間も一致しているときに、サイマル放送であると判定してもよい。あるいは、ＳＨＶ受信機２００またはサイマル番組情報取得部１１２は、第１のデジタルテレビジョン放送と、第２のデジタルテレビジョン放送とで、共通の番組ＩＤを導入し、その番組ＩＤをＥＩＴなどのサービス情報に含めておき、番組ＩＤが一致しているときに、サイマル放送であると判定してもよい。
【００２６】
また、サイマル番組情報取得部１１２は、現在放送中の番組についてのみ、サイマル放送があるか否かを問い合わせるようにしてよい。この場合、サイマル番組情報取得部１１２は、各サービス（チャンネル）で放送中の番組名などをＳＨＶ受信機２００に送信する。そして、ＳＨＶ受信機２００は、サービス各々が、サイマル放送されているか否かを示す情報を、その応答としてサイマル番組情報取得部１１２に送信する。
【００２７】
各番組情報合成部１１３は、各番組情報生成部１１１が生成した各番組情報に、サイマル番組情報取得部１１２が取得したサイマル番組情報を合成して、番組表情報を生成する。具体的には、各番組情報合成部１１３は、サイマル番組情報に基づき、番組各々にサイマル放送があるか否かを示す情報を、各番組情報に付加して、番組表情報を生成する。
【００２８】
図４は、番組表情報生成部１０７の動作を説明するフローチャートである。番組表情報生成部１０７の各番組情報生成部１１１は、番組情報取得部１０６が取得した番組情報から、電子番組表に表示する番組各々に関する情報を抽出し、各番組情報を生成する（ステップＳ１）。次に、番組表情報生成部１０７のサイマル番組情報取得部１１２と各番組情報合成部１１３とで、各番組情報の番組毎に、ステップＳ３からステップＳ６の処理を行う（ステップＳ２、Ｓ７）。ステップＳ３では、サイマル番組情報取得部１１２が、当該番組のサイマル放送の有無を、ＳＨＶ受信機２００に問い合わせて、その応答を受信する。次に、ステップＳ４にて、各番組情報合成部１１３が、サイマル番組情報取得部１１２が受信した応答に基づき、当該番組のサイマル放送の有無を判定する。
【００２９】
ステップＳ４にて、サイマル放送有りと判定したときは（Ｓ４−有り）、処理はステップＳ５に進み、各番組情報合成部１１３は、各番組情報の当該番組の情報に、サイマル放送有りを示す情報を付加する。これにより、サイマル放送有りを示す番組欄が生成される。また、ステップＳ４にて、サイマル放送無しと判定したときは（Ｓ４−無し）、処理はステップＳ６に進み、各番組情報合成部１１３は、各番組情報の当該番組の情報に、サイマル放送無しを示す情報を付加する。これにより、サイマル放送無しを示す番組欄が生成される。
【００３０】
ステップＳ５またはステップＳ６の処理の後、各番組情報の番組のうち、ステップＳ３からＳ６の処理が未処理のものがあるときには、ステップＳ３に戻り、未処理の番組に対する処理を行う。各番組情報の番組全てについて、ステップＳ３からＳ６の処理が行われているときは、処理は、ステップＳ８に進む（ステップＳ７）。ステップＳ８では、各番組情報合成部１１３は、ステップＳ５、Ｓ６により生成した各番組情報の全ての番組の情報を合成して、番組表情報を合成する。
【００３１】
図５は、番組表表示部１０８が生成する番組表の例Ｇ１を示す図である。図５に示すように、組表の例Ｇ１では、番組表を構成する番組欄のうち、サイマル放送がある番組の番組欄には、サイマル放送があることを示すマークＭ１、Ｍ２が配置されている。
図６は、番組表表示部１０８が生成する番組表の例Ｇ２を示す図である。図６に示すように、組表の例Ｇ２では、番組表を構成する番組欄のうち、サイマル放送がある番組の番組欄は、その枠Ｍ３、Ｍ４が、その他の番組欄よりも太くなっており、かつ、その他の番組欄と異なる所定の色となっている。なお、枠Ｍ３、Ｍ４の太さと色のうち、一方のみが、その他の番組欄と異なっているだけでもよい。
図７は、番組表表示部１０８が生成する番組表の例Ｇ３を示す図である。図７に示すように、組表の例Ｇ３では、番組表を構成する番組欄のうち、サイマル放送がある番組の番組欄は、その背景Ｍ５、Ｍ６が、その他の番組欄と異なる所定の色となっている。
【００３２】
なお、本実施形態では、第２のデジタルテレビジョン放送によるサイマル放送は、第１のデジタルテレビジョン放送よりも解像度が高いとしているが、各デジタルテレビジョン放送のサービス情報に解像度を示す情報を含め、ＳＨＶ受信機２００またはサイマル番組情報取得部１１２が、サービス情報を参照して、解像度が高いか否かを判定するようにしてもよい。
【００３３】
また、ＳＨＶ受信機２００は、第２のデジタルテレビジョン放送だけでなく、第１のデジタルテレビジョン放送も受信しており、これらのデジタルテレビジョン放送から、それぞれのサービス情報を取得してもよい。この場合、サイマル番組情報取得部１１２は、各番組情報を参照せずに、ＳＨＶ受信機２００にサイマル番組情報を要求した方が望ましい。これは、サイマル放送を検出するために必要な情報は、ＳＨＶ受信機２００が有しているので、テレビジョン受像機１００とＳＨＶ受信機２００との間で伝送される情報の情報量を抑えることができるためである。
【００３４】
例えば、サイマル番組情報取得部１１２は、時間帯および／またはサービス（チャンネル）を指定してサイマル番組情報を要求し、ＳＨＶ受信機２００は、自装置が第１のデジタルテレビジョン放送を受信して取得したサービス情報と、第２のデジタルテレビジョン放送を受信して取得したサービス情報とのうち、指定された時間帯および／またはサービスの部分同士を比較して、サイマル放送のある番組を検出する。そして、ＳＨＶ受信機２００は、サイマル放送のある番組を示す情報（サービスと時刻など）を、サイマル番組情報として、サイマル番組情報取得部１１２に送信する。
【００３５】
また、ＳＨＶ受信機２００は、サイマル番組情報取得部１１２からの問い合わせに対して、サイマル放送があっても、自装置で受信または復号ができないときは、サイマル放送無しを示す情報を応答してもよい。あるいは、ＳＨＶ受信機２００は、サイマル放送はあるが、受信または復号ができないことを示す情報を応答してもよい。さらに、ＳＨＶ受信機２００は、サイマル放送はあるが、受信または復号ができないことを示す情報を応答できる場合は、番組表情報生成部１０７は、番組欄の所定の表示にて、サイマル放送が有ることに加えて、ＳＨＶ受信機２００が受信および復号を出来るか否かを示すようにしてもよい。
【００３６】
また、ＳＨＶ受信機２００は、サイマル番組情報取得部１１２からのサイマル番組情報の問い合わせに対して、サイマル放送のある番組を検出しても、テレビジョン受像機１００で受像（復号）できない、または、ＳＨＶ受信機２００にてテレビジョン受像機１００が受像（復号）可能な信号に変換（ダウンコンバート、フォーマット変換など）できないときは、その番組をサイマル番組情報に含めなくてもよい。この場合、サイマル番組情報の問い合わせに、テレビジョン受像機１００の能力（復号可能なプロファイル、フォーマットなど）を示す情報が含まれていてもよい。また、サイマル番組情報は、サイマル放送が検出された番組については、サイマル放送があることを示す情報に加えて、テレビジョン受像機１００が、そのサイマル放送を、ＳＨＶ受信機１００を介して受像（復号）可能か否かを示す情報を含んでいても良い。  
【００３７】
このように、テレビジョン受像機１００は、第２のデジタルテレビジョン放送によるサイマル放送があるか否かを示す情報を、外部装置から取得するサイマル番組情報取得部１１２を備え、サイマル放送がある番組の欄に、所定の表示を含む番組表を表示する。これにより、視聴者は、視聴しようとしている番組に、第２のテレビジョン放送による、サイマル放送があることを把握し、サイマル放送の視聴を選択することができるようになる。
さらに、テレビジョン受像機１００は、より解像度の高いサイマル放送がある番組の欄に、所定の表示を含む番組表を表示するので、視聴者は、より解像度の高いサイマル放送の視聴を選択することができるようになる。
【００３８】
［第２の実施形態］
以下、図面を参照して、本発明の第２の実施形態について説明する。図８は、この発明の第２の実施形態による受信システム１０ａの構成を示す概略ブロック図である。受信システム１０ａは、受信システム１０とは、テレビジョン受像機１００に代えてテレビジョン受像機１００ａ（受信装置）を有し、さらに、番組情報サーバ４００を有する点が異なる。テレビジョン受像機１００ａは、テレビジョン受像機１００とほぼ同様の構成であるが、サイマル番組情報取得部１１２が、サイマル番組情報を、ＳＨＶ受信機２００ではなく、番組情報サーバ４００から取得する点が異なる。
【００３９】
なお、番組情報サーバ４００から取得するサイマル番組情報には、ＳＨＶ受信機２００が、そのサイマル放送を受信可能か否かを示す情報を含む。あるいは、サイマル番組情報に、サイマル放送が放送されているネットワーク、サービス、映像および音声のプロファイルが含まれており、テレビジョン受像機１００ａのサイマル番組情報取得部１１２が、サイマル放送をＳＨＶ受信機２００が受信可能か否かを判定してもよい。
【００４０】
あるいは、サイマル番組情報取得部１１２は、テレビジョン受像機１００ａにＳＨＶ受信機２００が接続されているか否かを確認し、接続されているときは、サイマル放送を受信可能と判定し、接続されていないときは受信できないと判定してもよい。さらに、接続されているときは、サイマル番組情報取得部１１２は、ＳＨＶ受信機２００に対して、サイマル番組情報が示すサイマル放送の番組毎に、受信可能か否か問い合わせてもよい。あるいは、サイマル番組情報取得部１１２は、ＳＨＶ受信機２００に対して、第１の実施形態と同様に問い合わせて、サイマル放送の有無を取得し、ＳＨＶ受信機２００から取得したサイマル番組情報にあるサイマル放送は受信可能と判定し、番組情報サーバ４００から取得したサイマル番組情報にあって、ＳＨＶ受信機２００から取得したサイマル番組情報にないサイマル放送は、受信できないと判定してもよい。
【００４１】
なお、サイマル番組情報取得部１１２は、テレビジョン受像機１００ａにＳＨＶ受信機２００が接続されているか否かの確認を、例えば、サイマル放送の有無を問い合わせるコマンドに対する応答に基づき行っても良い。例えば、サイマル番組情報取得部１１２は、応答が無いとき（タイムアウト、ｎｏ  ｒｅｓｐｏｎｓｅ）、および、コマンドに非対応という応答が返ってきたとき（ｎｏ  ｓｕｃｈ  ｃｏｍｍａｎｄ）は、サイマル放送に対応したＳＨＶ受信機２００は接続されていないと判定する。また、サイマル番組情報取得部１１２は、サイマル放送無しの応答が返ってきたときは、ＳＨＶ受信機２００は接続されているが受信できないと判定する。また、サイマル番組情報取得部１１２は、サイマル放送有りの応答が返ってきたときは、ＳＨＶ受信機２００が接続されており、受信できると判定する。
【００４２】
図９は、本実施形態におけるテレビジョン受像機１００ａの番組表表示部１０８が生成する番組表の例Ｇ４を示す図である。図９に示すように、組表の例Ｇ４では、番組表を構成する番組欄のうち、サイマル放送があり、そのサイマル放送をＳＨＶ受信機２００が受信および復号できる番組の番組欄は、マークＭ７が配置され、サイマル放送があるが、そのサイマル放送をＳＨＶ受信機２００が受信または復号できない番組の番組欄は、マークＭ８が配置されている。
【００４３】
このように、本実施形態においても、第１の実施形態と同様に、視聴者は、視聴しようとしている番組に、第２のテレビジョン放送による、サイマル放送があることを把握し、サイマル放送の視聴を選択することができるようになる。
さらに、より解像度の高いサイマル放送をＳＨＶ受信機２００が受信および復号できるか否かも表示されるので、サイマル放送はあるものの、ＳＨＶ受信機２００で受信または復号できないときに、視聴者が、サイマル放送を視聴しようとすることを防ぎつつ、サイマル放送が実施されていることを視聴者に通知できるようになる。
【００４４】
なお、上述の各実施形態において、視聴者が、サイマル放送がある番組の番組欄に対して、その番組欄を選択するなどの所定の操作をすると、テレビジョン受像機１００または１００ａが、ＳＨＶ受信機２００に対して、そのサイマル放送の受信を指示するようにしてもよい。この指示は、例えば、ＨＤＭＩ（登録商標）のＣＥＣを通じて、ＳＨＶ受信機２００に伝送される。さらに、テレビジョン受像機１００または１００ａの接続部１１０は、その所定の操作を受けて、ＳＨＶ受信機２００が受信および復号したサイマル放送の映像信号を、表示部１０５に入力して表示させるようにしてもよい。
これにより、テレビジョン受像機１００を操作している視聴者が、より解像度の高いサイマル放送の視聴を容易に行うことができる。
【００４５】
また、上述の各実施形態において、ＳＨＶ受信機２００は、サイマル放送の受信および復号を行うとして説明をしたが、復号については、テレビジョン受像機１００または１００ａが行うようにしてもよい。この場合、上述の各実施形態における、ＳＨＶ受信機２００が受信および復号できるか否かを示す情報は、ＳＨＶ受信機２００で受信し、テレビジョン受像機１００または１００ａで復号できるか否かを示す情報となる。
【００４６】
また、図１、図８におけるテレビジョン受像機１００、１００ａ、ＳＨＶ受信機２００の機能を実現するためのプログラムをコンピュータ読み取り可能な記録媒体に記録して、この記録媒体に記録されたプログラムをコンピュータシステムに読み込ませ、実行することによりテレビジョン受像機１００、１００ａ、ＳＨＶ受信機２００を実現してもよい。なお、ここでいう「コンピュータシステム」とは、ＯＳや周辺機器等のハードウェアを含むものとする。
【００４７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４８】
また、上述した図１、図８におけるテレビジョン受像機１００、１００ａ、ＳＨＶ受信機２００の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００４９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５０】
１００…テレビジョン受像機
１０１…受信部
１０２…分離部
１０３…復号部
１０４…合成部
１０５…表示部
１０６…番組情報取得部
１０７…番組表情報生成部
１０８…番組表表示部
１０９…通信部
１１０…接続部
１１１…各番組情報生成部
１１２…サイマル番組情報取得部
１１３…各番組情報合成部
【図１】
2017073732.tif 000003
【図２】
2017073732.tif 000004
【図３】
2017073732.tif 000005
【図４】
2017073732.tif 000006
【図５】
2017073732.tif 000007
【図６】
2017073732.tif 000008
【図７】
2017073732.tif 000009
【図８】
2017073732.tif 000010
【図９】
2017073732.tif 000011